(57)【特許請求の範囲】
【請求項１】
リーダ／ライタがＲＦＩＤタグに情報の読み出し及び書き込みを行うＲＦＩＤタグにおける情報記録方法であって、
前記リーダ／ライタは、ＲＦＩＤタグのメモリへの情報の記録を命令するＲＦＩＤコマンドの名称と、保護機能のオン／オフを指定する第１のデータと、前記情報を記憶させる前記メモリの記憶領域を指定する第２のデータと、前記ＲＦＩＤタグに記憶させるべき前記情報である第３のデータからなるＲＦＩＤコマンドを電波によって送信し、
前記ＲＦＩＤタグは、前記リーダ／ライタから電波によって送信されてきた前記ＲＦＩＤコマンドを受信し、
前記ＲＦＩＤコマンドの前記第２のデータによって指定される前記メモリの前記記憶領域が保護されていない場合において、前記第１のデータにより、保護機能がオンに指定されたとき、前記第３のデータを前記メモリの前記第２のデータで指定される前記記憶領域に記憶させ、前記記憶領域に対して保護機能をオンに設定し、
前記ＲＦＩＤコマンドの前記第２のデータによって指定される前記メモリの前記記憶領域が保護されていない場合において、前記第１のデータにより、保護機能がオフに指定されたとき、前記第３のデータを前記メモリの前記第２のデータで指定される前記記憶領域に記憶させ、前記記憶領域に対して保護機能がオフに設定されたままにする
ことを特徴とするＲＦＩＤタグにおける情報記録方法。
【請求項２】
前記ＲＦＩＤコマンドの前記第２のデータによって指定される前記メモリの前記記憶領域が保護されている場合、前記メモリの前記第２のデータで指定される前記記憶領域への前記第３のデータの書き込みは行わない
ことを特徴とする請求項１に記載のＲＦＩＤタグにおける情報記録方法。
【請求項３】
リーダ／ライタとの間で非接触で情報のやり取りを行うＲＦＩＤタグであって、
情報を記憶する不揮発性のメモリと、
前記リーダ／ライタから電波によって送信されてきた、前記ＲＦＩＤタグの前記メモリへの前記情報の記録を命令するＲＦＩＤコマンドの名称と、保護機能のオン／オフを指定する第１のデータと、前記情報を記憶させる前記メモリの記憶領域を指定する第２のデータと、前記ＲＦＩＤタグに記憶させるべき前記情報である第３のデータからなるＲＦＩＤコマンドを受信する受信手段と、
前記ＲＦＩＤコマンドの前記第２のデータによって指定される前記メモリの前記記憶領域が保護されていない場合において、前記第１のデータにより、保護機能がオンに指定されたとき、前記第３のデータを前記メモリの前記第２のデータで指定される前記記憶領域に記憶させ、前記記憶領域に対して保護機能をオンに設定し、
前記ＲＦＩＤコマンドの前記第２のデータによって指定される前記メモリの前記記憶領域が保護されていない場合において、前記第１のデータにより、保護機能がオフに指定されたとき、前記第３のデータを前記メモリの前記第２のデータで指定される前記記憶領域に記憶させ、前記記憶領域に対して保護機能がオフに設定されたままにする制御手段と
を備えることを特徴とするＲＦＩＤタグ。
【請求項４】
前記メモリの各記憶領域について保護機能がオンされているか否かを示す保護機能情報を記憶する保護機能情報記憶手段をさらに備え、
前記制御手段は、前記保護機能情報記憶手段に記憶されている前記保護機能情報に基づいて、前記第３のデータを前記メモリの前記第２のデータで指定される前記記憶領域に記憶させるか否かを決定し、
前記第１のデータにより、保護機能がオンに指定されたとき、前記第３のデータを前記メモリの前記第２のデータで指定される前記記憶領域に記憶させ、前記保護機能情報を更新し、前記記憶領域に対して保護機能をオンに設定する
ことを特徴とする請求項３に記載のＲＦＩＤタグ。
【発明の詳細な説明】
【０００１】
【発明の属する技術分野】
本発明は、ＲＦＩＤタグにおける情報記録方法及びＲＦＩＤタグに関し、特に、非接触でＲＦＩＤタグに対して各種情報の記録を行うＲＦＩＤタグにおける情報記録方法に関する。
【０００２】
【従来の技術】
近年、専用のリーダ／ライタにかざしたり、その上に乗せたりするだけでデータのやり取りが可能な非接触ＩＣ内蔵カードが開発されている。この非接触ＩＣ内蔵カードは、ＲＦＩＤタグ（無線ＩＤタグ）を含んで構成されている。このＲＦＩＤタグは、各種データを記憶するメモリと、リーダ／ライタと無線で通信を行うＲＦ回路と、アンテナと、メモリ及びＲＦ回路を制御する制御部等から構成されている。また、ＲＦＩＤタグは、リーダ／ライタからの電磁波を受信して起電力を発生し、制御部、ＲＦ回路、及びメモリを動作させることができるようになっている。
【０００３】
この従来のＲＦＩＤタグは、一旦メモリに記憶したデータを保護する機能は有しておらず、適宜書き換えることができる。
【０００４】
【発明が解決しようとする課題】
このように、従来のＲＦＩＤタグは、情報を保護する機能がないため、新たに情報をメモリに記憶させる場合、既に記憶している情報を書き換えてしまう場合があるという問題があった。ＲＦＩＤタグに記憶させる情報の中には、書き換えができないように保護しておきたいものがあるが、上述したように、ＲＦＩＤタグにはメモリに記憶されている情報を保護する機能がないため、誤って大切な情報を消失してしまう場合があった。
【０００５】
本発明はこのような状況に鑑みてなされたものであり、ＲＦＩＤタグのメモリの任意の記憶領域に記憶させたデータを保護し、書き換えや消去ができないようにするものである。
【０００６】
【課題を解決するための手段】
請求項１に記載のＲＦＩＤタグにおける情報記録方法は、リーダ／ライタがＲＦＩＤタグに情報の読み出し及び書き込みを行うＲＦＩＤタグにおける情報記録方法であって、リーダ／ライタは、ＲＦＩＤタグのメモリへの情報の記録を命令するＲＦＩＤコマンドの名称と、保護機能のオン／オフを指定する第１のデータと、情報を記憶させるメモリの記憶領域を指定する第２のデータと、ＲＦＩＤタグに記憶させるべき情報である第３のデータからなるＲＦＩＤコマンドを電波によって送信し、ＲＦＩＤタグは、リーダ／ライタから電波によって送信されてきたＲＦＩＤコマンドを受信し、ＲＦＩＤコマンドの第２のデータによって指定されるメモリの記憶領域が保護されていない場合において、第１のデータにより、保護機能がオンに指定されたとき、第３のデータをメモリの第２のデータで指定される記憶領域に記憶させ、記憶領域に対して保護機能をオンに設定し、ＲＦＩＤコマンドの第２のデータによって指定されるメモリの記憶領域が保護されていない場合において、第１のデータにより、保護機能がオフに指定されたとき、第３のデータをメモリの第２のデータで指定される記憶領域に記憶させ、記憶領域に対して保護機能がオフに設定されたままにすることを特徴とする。
また、ＲＦＩＤコマンドの第２のデータによって指定されるメモリの記憶領域が保護されている場合、メモリの第２のデータで指定される記憶領域への第３のデータの書き込みは行わないようにすることができる。
請求項３に記載のＲＦＩＤタグは、リーダ／ライタとの間で非接触で情報のやり取りを行うＲＦＩＤタグであって、情報を記憶する不揮発性のメモリと、リーダ／ライタから電波によって送信されてきた、ＲＦＩＤタグのメモリへの情報の記録を命令するＲＦＩＤコマンドの名称と、保護機能のオン／オフを指定する第１のデータと、情報を記憶させるメモリの記憶領域を指定する第２のデータと、ＲＦＩＤタグに記憶させるべき情報である第３のデータからなるＲＦＩＤコマンドを受信する受信手段と、ＲＦＩＤコマンドの第２のデータによって指定されるメモリの記憶領域が保護されていない場合において、第１のデータにより、保護機能がオンに指定されたとき、第３のデータをメモリの第２のデータで指定される記憶領域に記憶させ、記憶領域に対して保護機能をオンに設定し、ＲＦＩＤコマンドの第２のデータによって指定されるメモリの記憶領域が保護されていない場合において、第１のデータにより、保護機能がオフに指定されたとき、第３のデータをメモリの第２のデータで指定される記憶領域に記憶させ、記憶領域に対して保護機能がオフに設定されたままにする制御手段とを備えることを特徴とする。
また、メモリの各記憶領域について保護機能がオンされているか否かを示す保護機能情報を記憶する保護機能情報記憶手段をさらに備え、制御手段は、保護機能情報記憶手段に記憶されている保護機能情報に基づいて、第３のデータをメモリの第２のデータで指定される記憶領域に記憶させるか否かを決定し、第１のデータにより、保護機能がオンに指定されたとき、第３のデータをメモリの第２のデータで指定される記憶領域に記憶させ、保護機能情報を更新し、記憶領域に対して保護機能をオンに設定するようにすることができる。
【０００７】
【発明の実施の形態】
図１は、本発明のＲＦＩＤタグにおける情報記録方法を適用したＲＦＩＤタグ情報記録システムの一実施の形態の構成例を示すブロック図である。同図に示すように、本実施の形態は、非接触ＩＣ内蔵カード１と、非接触ＩＣ内蔵カード１と情報のやり取りを行うリーダ／ライタ１３とから構成されている。非接触ＩＣ内蔵カード１は、薄型ＩＣ回路４を内蔵したカード本体２を、ＰＥＴ樹脂素材のフィルムで覆った構成とされている。フィルムには、導電性塗料を用いて印刷された後述するアンテナ３Ａが設けられている。このアンテナ３Ａは、異方導電性接着剤を介して薄型ＩＣ回路４に接着されている。以下では適宜、薄型ＩＣ回路４とアンテナ３ＡをＲＦＩＤタグと記載する。
【０００８】
ＲＦＩＤタグを構成する薄型ＩＣ回路４は、整流回路５と、電源レギュレータ６と、クロック再生回路７と、復調器８と、変調器９と、通信ロジック１０と、不揮発性メモリ１１と、コンデンサ１２とから構成されている。不揮発性メモリ１１としては、例えば、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）が用いられる。
【０００９】
最初に、リーダ／ライタ１３から、微弱な電波による呼び出しが行われる。この呼び出しは、例えば、数十メガヘルツ（ＭＨｚ）の周波数の信号情報によってオン／オフするＡＳＫ変調方式が用いられる。この微弱な電波によって発生した誘導磁界に非接触ＩＣ内蔵カード１がかざされると、アンテナ３Ａに起電力が発生する。アンテナ３Ａに発生した起電力は、整流回路５に接続されている電源レギュレータ６によって調整され、内部電源とされる。
【００１０】
また、アンテナ３Ａを介して取り込まれた信号は、クロック再生回路７によって再生された後、復調器８によって復調される。復調された信号に基づき、通信ロジック１０によって不揮発性メモリ１１に記憶されている情報が読み取られる。読み取られた情報は、変調器９によって変調された後、アンテナ３Ａから出力される。このときの周波数は、例えば、数百キロヘルツ（ＫＨｚ）である。
【００１１】
また、不揮発性メモリ１１に記憶されている情報の書き換えも、リーダ／ライタ１３側からの微弱な電波に含まれる信号情報によって同様にして行われる。即ち、アンテナ３Ａを介して取り込まれた信号は、クロック再生回路７によって再生された後、復調器８によって復調される。復調された信号に基づき、通信ロジック１０によって不揮発性メモリ１１に情報が記録され、書き換えられる。ただし、不揮発性メモリ１１に対して情報を書き込む場合、書き込んだ情報が他の情報によって書き換えられることがないように指定することができるようになっている。
【００１２】
不揮発性メモリ１１は、図４に示すように、データを記憶する記憶領域と、図５に示すように、この記憶領域の各番地に記憶されたデータを書き換えたり消去したりすることができるか否かを示す保護機能フラグを記憶する保護機能フラグ記憶領域とを有している。記憶領域は番地指定ができ、任意の番地に情報を記録することができるようになっている。また、不揮発性メモリ１１の保護機能フラグ記憶領域には、記憶領域の各番地に記憶された情報が書き換えや消去が禁止されている（保護機能オン）のか、或いは、書き換えや消去が許可されている（保護機能オフ）のかを示す保護機能フラグが記憶領域の各番地に対応付けて記憶されている。記憶領域の各番地には、例えば１バイトの情報を記憶させることができる。
【００１３】
図２は、本実施の形態の動作を示すタイミングチャートである。図示せぬホストコンピュータは、ＲＦＩＤタグの不揮発性メモリ１１に記録したい情報を含む所定のＲＦＩＤコマンド（タグ情報保護機能用コマンド＋タグ情報（後述する記憶情報））を作成し、リーダ／ライタ１３を介してＲＦＩＤタグに送信する。このＲＦＩＤコマンドは、例えば、次のような構成とされる。
【００１４】
ＲＦＩＤタグ情報記録命令（ＲＫ）＋保護機能フラグ（１（保護機能を実行する）又は０（保護機能を実行しない））＋情報記憶領域＋記憶情報
【００１５】
ＲＦＩＤタグ情報記録命令（ＲＫ）は、ＲＦＩＤタグの不揮発性メモリ１１に情報を書き込むためのＲＦＩＤコマンドの名称である。保護機能フラグは、書き込んだ情報を、その後、書き換えや消去がされないように保護するか否かを指定するためのフラグである。情報記憶領域は、不揮発性メモリ１１の記憶領域のどの番地に記憶情報を記憶させるかを指定するためのものである。そして、記憶情報は、不揮発性メモリ１１に記憶させたい情報そのものである。
【００１６】
例えば、不揮発性メモリ１１の記憶領域の番地２乃至４に、記憶情報ＤＡＴＡ１−２、ＤＡＴＡ１−３、ＤＡＴＡ１−４を記憶させ、その記憶情報を書き換えられたり消去されないように保護したいとき、次のようなＲＦＩＤコマンドが発行される。
【００１７】
ＲＫ，１，２−４，ＤＡＴＡ１−２ＤＡＴＡ１−３ＤＡＴＡ１−４
【００１８】
このＲＦＩＤコマンドを含む信号は、リーダ／ライタ１３から電波によって送信される。この電波は、ＲＦＩＤタグのアンテナ３Ａによって受信され、対応する電気信号に変換された後、クロック再生回路７に供給される。クロック再生回路７は、この信号を再生し、復調器８に供給する。復調器８は、クロック再生回路７から供給された信号を復調し、通信ロジック１０に供給する。通信ロジック１０は、復調器８より供給された信号を解析し、対応する処理を実行する。
【００１９】
図３は、通信ロジック１０の処理手順を示すフローチャートである。まず最初に、ステップＳ１において、リーダ／ライタ１３から送信されてきたＲＦＩＤコマンドを受信すると、ステップＳ２において、ＲＦＩＤコマンドに含まれる情報記憶領域が、情報の書き換えや消去が禁止されている状態（保護機能オン）であるか否かが判定される。これは、不揮発性メモリ１１の記憶領域の各番地に対応付けて、保護機能フラグ記憶領域に記憶されている保護機能フラグを読み出すことによって判定することができる。
【００２０】
この結果、ＲＦＩＤコマンドに含まれる情報記憶領域が、情報の書き換えや消去が禁止されている状態であると判定された場合（ステップＳ２のＹＥＳ）、本処理を終了する。一方、ＲＦＩＤコマンドに含まれる情報記憶領域が、情報の書き換えや消去が禁止されていない状態（保護機能オフ）であると判定された場合（ステップＳ２のＮＯ）、ステップＳ３に進む。
【００２１】
ステップＳ３においては、ＲＦＩＤコマンドに含まれる保護機能フラグがオン（値が１）であるか否かが判定される。その結果、保護機能フラグの値がオンであると判定された場合（ステップＳ３のＹＥＳ）、ステップＳ４に進む。
【００２２】
ステップＳ４においては、図４に示すように、ＲＦＩＤコマンドの情報記憶領域として指定された不揮発性メモリ１１の記憶領域（いまの場合、番地２乃至４）に、ＲＦＩＤコマンドの記憶情報として指定された情報（いまの場合、ＤＡＴＡ１−２、ＤＡＴＡ１−３、ＤＡＴＡ１−４）を記憶させる。次に、ステップＳ５において、いま、記憶情報が記憶された記憶領域（いまの場合、番地２乃至４）に対応する、保護機能フラグ記憶領域の保護機能フラグの値が１にセットされる。
【００２３】
一方、ステップＳ３において、ＲＦＩＤコマンドに含まれる保護機能フラグがオフ（値が０）であると判定された場合（ステップＳ３のＮＯ）、ステップＳ６に進み、ＲＦＩＤコマンドの情報記憶領域として指定された不揮発性メモリ１１の記憶領域（いまの場合、番地２乃至４）に、記憶情報として指定された情報（ＤＡＴＡ１−２、ＤＡＴＡ１−３、ＤＡＴＡ１−４）を通常の方法で、記憶させる。この場合、記憶情報が記憶された記憶領域（いまの場合、番地２乃至４）に対応する、保護機能フラグ記憶領域の保護機能フラグの値は初期値０のままであるので、この情報は、その後、書き換えや消去が可能である。
【００２４】
ステップＳ５の処理、又はステップＳ６の処理が終了すると本処理を終了する。
【００２５】
以上説明したように、ＲＦＩＤコマンドの保護機能フラグに１を指定することにより、不揮発性メモリ１１に書き込んだ情報を保護し、書き換えや消去ができないようにすることができる。これにより、１つの非接触ＩＣ内蔵カード１に、書き換え可能な情報と書き換え不可能な情報とをともに記録することができる。
【００２６】
例えば、ビデオテープをレンタルする場合、ビデオテープにＲＦＩＤタグを貼り付けておくことで、各種情報をＲＦＩＤに記憶させ、貸し出し状況を管理することができる。タイトル名やレンタル店の名称等の情報を書き換え不可能な情報としてＲＦＩＤタグに記憶させ、レンタルするときには、貸し出した日付、利用者のＩＤ番号、返却日付等の情報を書き換え可能な情報として記憶させることができる。このように、書き換えてほしくない情報を書き換え不可能な情報として記憶させ、保護することができるので、重要な情報を誤って書き換えてしまうことがないようにすることができる。
【００２７】
なお、上記実施の形態の構成及び動作は例であって、本発明の趣旨を逸脱しない範囲で適宜変更することができることは言うまでもない。
【００２８】
【発明の効果】
以上の如く、本発明に係るＲＦＩＤタグにおける情報記録方法によれば、リーダ／ライタは、ＲＦＩＤタグのメモリへの情報の記録を命令するＲＦＩＤコマンドの名称と、保護機能のオン／オフを指定する第１のデータと、情報を記憶させるメモリの記憶領域を指定する第２のデータと、ＲＦＩＤタグに記憶させるべき情報である第３のデータからなるＲＦＩＤコマンドを電波によって送信し、ＲＦＩＤタグは、リーダ／ライタから電波によって送信されてきたＲＦＩＤコマンドを受信し、ＲＦＩＤコマンドの第２のデータによって指定されるメモリの記憶領域が保護されていない場合において、第１のデータにより、保護機能がオンに指定されたとき、第３のデータをメモリの第２のデータで指定される記憶領域に記憶させ、記憶領域に対して保護機能をオンに設定し、ＲＦＩＤコマンドの第２のデータによって指定されるメモリの記憶領域が保護されていない場合において、第１のデータにより、保護機能がオフに指定されたとき、第３のデータをメモリの第２のデータで指定される記憶領域に記憶させ、記憶領域に対して保護機能がオフに設定されたままにするようにしたので、ＲＦＩＤタグのメモリの任意の記憶領域に記憶させたデータを保護し、書き換えや消去ができないようにすることができる。
【図面の簡単な説明】
【図１】本発明のＲＦＩＤタグにおける情報記録方法を応用したＲＦＩＤタグ情報記録システムを構成するリーダ／ライタと非接触ＩＣ内蔵カードの一実施の形態の構成例を示すブロック図である。
【図２】図１の実施の形態の動作を説明するためのタイミングチャートである。
【図３】図１の実施の形態の非接触ＩＣ内蔵カード側の処理手順を説明するためのフローチャートである。
【図４】不揮発性メモリの記憶領域の構成例を示す図である。
【図５】不揮発性メモリの保護機能フラグ記憶領域の構成例を示す図である。
【符号の説明】
１  非接触ＩＣ内蔵カード
２  カード本体
３Ａ  アンテナ
４  薄型ＩＣ回路
５  整流回路
６  電源レギュレータ
７  クロック再生回路
８  復調器
９  変調器
１０  通信ロジック
１１  不揮発性メモリ
１３  リーダ／ライタ
【図１】
0004053324.tif 000002
【図２】
0004053324.tif 000003
【図３】
0004053324.tif 000004
【図４】
0004053324.tif 000005
【図５】
0004053324.tif 000006